(57)【要約】【課題】  医療分野のように長い複合名詞を入力キーワードとしてキーワード検索を行なう場合でも、利用者の所望する検索結果に導くことを可能とする技術を提案する。【解決手段】  形態素解析手段３が、入力キーワードを形態素解析し、隣接検索手段５が、入力キーワードの各形態素に基づいて、入力キーワードを或る分割数又は分割位置で分割した部分キーワードの集合を生成し、異なる分割数又は分割位置の各部分キーワード集合毎に検索を行って、検索結果表示手段６が、その検索結果を画面表示する。フィードバック取得手段７により複数の検索結果を指定する入力を利用者から受け付けると、フィードバック解析手段８が、指定された各検索結果に係る部分キーワード集合群における出現頻度が所定値を上回る部分キーワードを特定し、当該特定した部分キーワードに基づいて前記隣接検索手段５に再検索させる。【選択図】  図１
2009075664.tif 000002
【特許請求の範囲】
【請求項１】
電子文書を検索するための検索語の入力を利用者から受け付ける第１の受付手段と、
前記入力された検索語を分割し、当該検索語を構成する各分割語からなる分割語集合を生成する生成手段と、
異なる分割数又は分割位置の各分割語集合毎に、該分割語集合に属する各分割語に基づいて前記記憶手段から電子文書を検索する検索手段と、
分割語集合別の検索結果を表示する表示手段と、
複数の検索結果を指定する入力を利用者から受け付ける第２の受付手段と、
前記指定された複数の検索結果に係る分割語集合群について、各分割語集合に属する分割語の当該分割語集合群における出現頻度を算出する算出手段と、
前記算出した出現頻度が第１の所定値を上回る確定分割語に基づいて前記検索手段に電子文書を再検索させるよう制御する制御手段と、
を備えたことを特徴とする検索支援装置。
【請求項２】
前記制御手段は、確定分割語と前記入力された検索語から確定分割語を除いた部分を分割した分割語とからなる新たな分割語集合を前記生成手段に生成させ、当該新たな分割語集合に基づいて前記検索手段に電子文書を再検索させるよう制御することを特徴とする請求項１に記載の検索支援装置。
【請求項３】
前記制御手段は、再検索の結果を表示して複数の検索結果の指定入力を利用者から受け付け、当該指定された複数の検索結果に係る分割語集合群における確定分割語に基づいて電子文書の再検索を行うよう制御することを特徴とする請求項１又は請求項２に記載の検索支援装置。
【請求項４】
前記表示手段は、分割数が少ない分割語集合の順に検索結果を優先表示することを特徴とする請求項１乃至請求項３のいずれか１項に記載の検索支援装置。
【請求項５】
前記表示手段は、検索された電子文書に出現する分割語の出現頻度が多い順に検索結果を優先表示することを特徴とする請求項１乃至請求項４のいずれか１項に記載の検索支援装置。
【請求項６】
前記表示手段は、検索に用いた分割語集合を検索結果として表示することを特徴とする請求項１乃至請求項５のいずれか１項に記載の検索支援装置。
【請求項７】
前記検索手段は、電子文書に出現する格助詞を除外して検索することを特徴とする請求項１に乃至請求項６のいずれか１項に記載の検索支援装置。
【請求項８】
利用者が作成した電子文書に出現する文字列の出現頻度が第２の所定値を上回る頻出文字列を記憶する記憶手段を備え、
前記生成手段は、前記入力された検索語に含まれる頻出文字列と当該検索語から頻出文字列を除いた部分を分割した分割語とからなる分割語集合を生成することを特徴とする請求項１乃至請求項７のいずれか１項に記載の検索支援装置。
【請求項９】
コンピュータを、
電子文書を検索するための検索語の入力を利用者から受け付ける第１の受付手段と、
前記入力された検索語を分割し、当該検索語を構成する各分割語からなる分割語集合を生成する生成手段と、
異なる分割数又は分割位置の各分割語集合毎に、該分割語集合に属する各分割語に基づいて前記記憶手段から電子文書を検索する検索手段と、
分割語集合別の検索結果を表示する表示手段と、
複数の検索結果を指定する入力を利用者から受け付ける第２の受付手段と、
前記指定された複数の検索結果に係る分割語集合群について、各分割語集合に属する分割語の当該分割語集合群における出現頻度を算出する算出手段と、
前記算出した出現頻度が第１の所定値を上回る確定分割語に基づいて前記検索手段に電子文書を再検索させるよう制御する制御手段として機能させるための検索支援プログラム。
【発明の詳細な説明】
【技術分野】
【０００１】
本発明は、電子文書の検索を支援する検索支援装置、検索支援プログラムに関する。
【背景技術】
【０００２】
多数のテキスト（電子文書）を記憶している文書サーバから、利用者により入力されたキーワードに合致するテキストを検索し、その検索結果を利用者に提示することが行われている。
このようなキーワード検索を行なう際、利用者が、所望の検索結果を得ることのできる適切なキーワードを常に入力できるとは限らない。この問題を解決するために、テキスト検索の分野では適合フィードバックと呼ばれる技術が用いられている。
【０００３】
適合フィードバックでは、入力キーワードに基づく検索結果を順位付けして上位Ｎ件を利用者に提示して確認させ、利用者が所望の検索結果であると判断した検索結果のテキスト集合を取得する。そして、得られたテキスト集合中に頻出するキーワードを抽出し、当該抽出したキーワードを元の入力キーワードに加えた上で再度検索を実行することによって、より好適な検索結果を得ることができる。
【０００４】
適合フィードバックを用いた検索手法に関する従来技術として、利用者が上位Ｎ件の検索結果を確認してその指定を行う際に、テキスト中で所望の文章が記述されている範囲まで指定させることによって、より的確な追加キーワードを抽出し、適合フィードバックの精度を高める技術が提案されている（特許文献１参照）。
【特許文献１】特開平９−１０１９６９号公報
【発明の開示】
【発明が解決しようとする課題】
【０００５】
従来の適合フィードバックは、新たなキーワードを元の入力キーワードに追加するためだけの技術であり、元の入力キーワードが不適切であった場合にそれを修正することはできない。したがって、元の入力キーワードが不適切であった場合には、新たなキーワードを追加しても、所望の検索結果に近づけることができないという問題が残る。
【０００６】
この問題は、特に医療分野のように長い複合名詞を入力キーワードとしてキーワード検索を行なう場合に顕著となる。
例えば、「腎輸入糸球体細動脈」と「慢性希釈性低ナトリウム血症」を入力キーワードとした場合、二つのキーワードを共に含む検索対象テキストが存在しない場合は、そもそも適合フィードバックを行なうことができない。また、極めて少数の検索結果が得られた場合も、適切な追加キーワードを抽出するに足る頻度情報を得ることができないため、適合フィードバックが有効に働くとは言い難い。
【０００７】
また、上記「腎輸入糸球体細動脈」と「慢性希釈性低ナトリウム血症」に形態素解析処理を施し、「腎」「輸入」「糸球体」「細」「動脈」「慢性」「希釈性」「低」「ナトリウム」「血症」の１０のキーワードで検索した場合では、これらの１０の細かなキーワードが散在するテキストが検索結果として得られてしまうことになり、所望の検索結果が得られる可能性は低い。適合フィードバックはこれら１０のキーワードに新たなキーワードを追加する機能しか持っておらず、（元のキーワードが不適切であるため）所望の検索結果に導くことは困難である。
【０００８】
本発明は、上記従来の事情に鑑みなされたものであり、医療分野のように長い複合名詞を入力キーワードとしてキーワード検索を行なう場合でも、利用者の所望する検索結果に導くことを可能とする技術を提案することを目的としている。
【課題を解決するための手段】
【０００９】
請求項１に記載の本発明は、電子文書を検索するための検索語の入力を利用者から受け付ける第１の受付手段と、前記入力された検索語を分割し、当該検索語を構成する各分割語からなる分割語集合を生成する生成手段と、異なる分割数又は分割位置の各分割語集合毎に、該分割語集合に属する各分割語に基づいて前記記憶手段から電子文書を検索する検索手段と、分割語集合別の検索結果を表示する表示手段と、複数の検索結果を指定する入力を利用者から受け付ける第２の受付手段と、前記指定された複数の検索結果に係る分割語集合群について、各分割語集合に属する分割語の当該分割語集合群における出現頻度を算出する算出手段と、前記算出した出現頻度が第１の所定値を上回る確定分割語に基づいて前記検索手段に電子文書を再検索させるよう制御する制御手段と、を備えたことを特徴とする検索支援装置である。
【００１０】
請求項２に記載の本発明は、請求項１に記載の検索支援装置において、前記制御手段は、確定分割語と前記入力された検索語から確定分割語を除いた部分を分割した分割語とからなる新たな分割語集合を前記生成手段に生成させ、当該新たな分割語集合に基づいて前記検索手段に電子文書を再検索させるよう制御することを特徴とする。
【００１１】
請求項３に記載の本発明は、請求項１又は請求項２に記載の検索支援装置において、前記制御手段は、再検索の結果を表示して複数の検索結果の指定入力を利用者から受け付け、当該指定された複数の検索結果に係る分割語集合群における確定分割語に基づいて電子文書の再検索を行うよう制御することを特徴とする。
【００１２】
請求項４に記載の本発明は、請求項１乃至請求項３のいずれか１項に記載の検索支援装置において、前記表示手段は、分割数が少ない分割語集合の順に検索結果を優先表示することを特徴とする。
【００１３】
請求項５に記載の本発明は、請求項１乃至請求項４のいずれか１項に記載の検索支援装置において、前記表示手段は、検索された電子文書に出現する分割語の出現頻度が多い順に検索結果を優先表示することを特徴とする。
【００１４】
請求項６に記載の本発明は、請求項１に乃至請求項５のいずれか１項に記載の検索支援装置において、前記表示手段は、検索に用いた分割語集合を検索結果として表示することを特徴とする。
【００１５】
請求項７に記載の本発明は、請求項１に乃至請求項６のいずれか１項に記載の検索支援装置において、前記検索手段は、電子文書に出現する格助詞を除外して検索することを特徴とする。
【００１６】
請求項８に記載の本発明は、請求項１乃至請求項７のいずれか１項に記載の検索支援装置において、利用者が作成した電子文書に出現する文字列の出現頻度が第２の所定値を上回る頻出文字列を記憶する記憶手段を備え、前記生成手段は、前記入力された検索語に含まれる頻出文字列と当該検索語から頻出文字列を除いた部分を分割した分割語とからなる分割語集合を生成することを特徴とする。
【００１７】
請求項９に記載の本発明は、コンピュータを、電子文書を検索するための検索語の入力を利用者から受け付ける第１の受付手段と、前記入力された検索語を分割し、当該検索語を構成する各分割語からなる分割語集合を生成する生成手段と、異なる分割数又は分割位置の各分割語集合毎に、該分割語集合に属する各分割語に基づいて前記記憶手段から電子文書を検索する検索手段と、分割語集合別の検索結果を表示する表示手段と、複数の検索結果を指定する入力を利用者から受け付ける第２の受付手段と、前記指定された複数の検索結果に係る分割語集合群について、各分割語集合に属する分割語の当該分割語集合群における出現頻度を算出する算出手段と、前記算出した出現頻度が第１の所定値を上回る確定分割語に基づいて前記検索手段に電子文書を再検索させるよう制御する制御手段として機能させるための検索支援プログラムである。
【発明の効果】
【００１８】
請求項１に記載の検索支援装置によると、利用者に入力されたキーワード（検索語）に含まれる各部分キーワード（分割語）のうち、利用者が所望する検索結果が得られる傾向を持つ部分キーワード（確定分割語）を特定することができ、当該特定した部分キーワードに基づいて再検索を行うことにより、利用者の所望する検索結果に導くことが可能となる。
【００１９】
請求項２に記載の検索支援装置によると、前記特定した部分キーワードを分割することなく入力キーワードの再分割を行うことで、利用者の意図を反映して入力キーワードが分割されるため、その分割結果に基づいて再検索を行うことにより、利用者の所望する検索結果に導くことが可能となる。
【００２０】
請求項３に記載の検索支援装置によると、利用者の意図が複数回反映されるため、より高い精度で所望の検索結果に導くことが可能となる。
【００２１】
請求項４に記載の検索支援装置によると、入力キーワードの分割数が少ないほど利用者の意図への適合度が高いと考えられることから、分割数が少ない順に検索結果を優先表示することにより、利用者が検索結果の適合性を判断する時間を短縮することができる。
【００２２】
請求項５に記載の検索支援装置によると、部分キーワードの出現頻度が多い電子文書ほど利用者の意図への適合度が高いと考えられることから、部分キーワードの出現頻度が多い順に検索結果を優先表示することにより、利用者が検索結果の適合性を判断する時間を短縮することができる。
【００２３】
請求項６に記載の検索支援装置によると、検索に用いた各部分キーワード（分割語集合）を検索結果として表示することにより、利用者が検索結果の適合性を判断する時間を短縮することができる。
【００２４】
請求項７に記載の検索支援装置によると、電子文書の検索結果の網羅性をより高めることができる。
【００２５】
請求項８に記載の検索支援装置によると、利用者が過去に作成した電子文書に含まれる頻出文字列を電子文書の検索処理に反映させることができる。
【００２６】
請求項９に記載の検索支援プログラムによると、上記作用効果を奏する検索支援装置をコンピュータを利用して実現することができる。
【発明を実施するための最良の形態】
【００２７】
本発明を、以下に例示する一実施形態に基づいて具体的に説明する。
図１は、本例に係る検索支援装置の機能ブロック図を示している。
本例の検索支援装置は、検索対象テキスト格納手段１、検索キーワード入力手段２、形態素解析手段３、形態素解析結果保持手段４、隣接検索手段５、検索結果表示手段６、フィードバック取得手段７、フィードバック解析手段８、を備えている。
【００２８】
検索対象テキスト格納手段１は、検索対象テキストとしての複数の電子文書を格納している。なお、各電子文書には、電子文書中の文字列を形態素解析して得られる各形態素に基づいて作成される検索用インデックスが付与されている。
【００２９】
検索キーワード入力手段２は、電子文書を検索するためのキーワード（検索語）の入力を利用者から受け付ける。
形態素解析手段３は、入力キーワードに公知の形態素解析処理を施して形態素に分割する。また、検索対象テキスト格納手段１に格納される各電子文書に対しても形態素解析処理を施して、検索用インデックスの作成を行う。
形態素解析結果保持手段４は、形態素解析手段３から得られる入力キーワードの形態素解析結果を保持する。
【００３０】
隣接検索手段５は、形態素解析結果保持手段４に保持されている各形態素を入力として、検索対象テキスト格納手段１に格納されている電子文書の検索を行い、また、後述のフィードバック解析手段８による制御に従って電子文書の再検索を行う。
本例では、形態素解析結果保持手段４の各形態素に基づいて、入力キーワードを或る分割数及び分割位置で分割した部分キーワードの集合を生成し、異なる分割数又は分割位置の部分キーワード集合毎に電子文書の検索を行っている。なお、部分キーワード集合には、分割数＝０の集合、すなわち入力キーワードそのものを唯一の要素（部分キーワード）とした集合も含まれる。
【００３１】
また、本例の隣接検索手段５では、各部分キーワード集合毎の検索結果に表示の優先順位を設定する。すなわち、分割数＝０の部分キーワード集合による検索結果（元の入力キーワードをそのまま含む電子文書）を最上位とし、以下、分割数（部分キーワードの数）の増加に伴って下位に順位付けする。また、複数の検索結果が同位となる場合は、検索された電子文書に含まれる部分キーワードの出現頻度が多いほど上位に順位付けする。
【００３２】
検索結果表示手段６は、隣接検索手段５から得られた検索結果を優先順位に沿って画面表示して利用者に提示する。本例では、検索結果の上位Ｎ件を画面上部から優先順位に沿って表示し、利用者の指定によりＮ件ずつ切り替え表示する。ここで、本例では、検索された電子文書とその検索に用いた部分キーワード集合との組を検索結果として表示しているが、検索された電子文書のみを検索結果として表示してもよく、或いは検索に用いた部分キーワード集合のみを検索結果として表示してもよい。
【００３３】
フィードバック取得手段７は、検索結果表示手段６により提示された各検索結果のうち、複数の検索結果を指定する入力を利用者から受け付ける。
フィードバック解析手段８は、指定された複数の検索結果に基づくフィードバック解析処理を行う。すなわち、フィードバック取得手段７にて利用者に指定された各検索結果を得るために用いられた部分キーワード集合をそれぞれ取得し、これら部分キーワード集合群における部分キーワードの出現頻度を算出し、出現頻度が所定値を上回る部分キーワードを確定部分キーワードとして抽出する。そして、この確定部分キーワードについては分割せずに、隣接検索手段５により電子文書を再検索させる。すなわち、確定部分キーワードと、入力キーワードから当該確定部分キーワードを除いた部分を分割した部分キーワードと、からなる新たな部分キーワード集合を生成し、当該新たな部分キーワード集合に基づく再検索を行わせる。
【００３４】
次に、本例の検索支援装置による検索支援処理を、図２に示す処理フロー図を参照して具体的に説明する。
本例の検索支援装置は、検索キーワード入力手段２により利用者から入力キーワードを受け付けると（ステップＳ１）、形態素解析手段３が、各入力キーワードに形態素解析処理を施して形態素に分割する（ステップＳ２）。例えば、「腎輸入糸球体細動脈」と「慢性希釈性低ナトリウム血症」の２つを入力キーワードとして受け付けた場合には、「腎輸入糸球体細動脈」に形態素解析処理を施すことにより「腎」「輸入」「糸球体」「細」「動脈」が得られ、「慢性希釈性低ナトリウム血症」に形態素解析処理を施すことにより「慢性」「希釈性」「低」「ナトリウム」「血症」が得られて、形態素解析結果保持手段４に格納される。
【００３５】
隣接検索手段５は、形態素解析結果保持手段４の各形態素に基づいて入力キーワードを或る分割数及び分割位置で分割した部分キーワードの集合を生成する。そして、異なる分割数又は分割位置の部分キーワード集合毎に電子文書を検索し、その検索結果に表示の優先順位を設定する（ステップＳ３）。すなわち、上記２つの入力キーワードを受け付けた場合は、図３に示すように、「腎輸入糸球体細動脈」「慢性希釈性低ナトリウム血症」の２つの部分キーワードを共に含む電子文書が優先順位１となり、「腎」「輸入糸球体細動脈」「慢性希釈性低ナトリウム血症」等の３つの部分キーワードを全て含む電子文書が優先順位２となり、「腎」「輸入」「糸球体細動脈」「慢性希釈性低ナトリウム血症」等の４つの部分キーワードを全て含む電子文書が優先順位３となる。
【００３６】
検索結果表示手段６は、隣接検索手段５による検索結果を優先順位に沿って画面表示し、フィードバック取得手段７が、複数の検索結果を指定する入力を利用者から受け付けることで、画面表示された検索結果（本例では上位Ｎ件の検索結果）について、利用者の検索意図に対する適合性のフィードバックを得る（ステップＳ４）。フィードバック解析手段８は、指定された各検索結果に係る部分キーワード集合をそれぞれ取得し、これら部分キーワード集合群における各部分キーワードの出現頻度を算出し、所定値よりも大きい出現頻度を持つ部分キーワードを確定部分キーワードとして抽出する（ステップＳ５）。そして、得られた確定部分キーワードを分割することなく、隣接検索手段５に隣接検索を再度実行させる（ステップＳ６）。以降、その検索結果についてもフィードバックを得て再検索を繰り返す。
【００３７】
すなわち、上記２つの入力キーワードに基づく各部分キーワード集合毎に検索を行った結果、図４に示すように、例えば第１位として「腎輸入糸球体」「細動脈」「慢性希釈性低ナトリウム血症」の３つの部分キーワードを全て含む電子文書、例えば第５位として「腎輸入」「糸球体」「細動脈」「慢性希釈性低ナトリウム血症」の４つの部分キーワードを全て含む電子文書が画面表示される。そして、この第１位及び第５位を指定する入力を利用者が行うと、図５に示すように、当該指定された検索結果に係る部分キーワード集合群における各部分キーワードの出現頻度が算出され、このうち出現頻度が所定値以上（本例では２以上）である「慢性希釈性低ナトリウム血症」「細動脈」が確定部分キーワードとして抽出される。この確定部分キーワード「慢性希釈性低ナトリウム血症」「細動脈」は、隣接検索手段５で分割されずに再検索が行われる。なお、確定部分キーワードを分割しないこと以外は、１度目の検索処理と同じアルゴリズムで処理を行う。
【００３８】
なお、本例では、入力キーワードを形態素解析手段３にて公知の形態素解析処理により分割しているが、他の分割方式を採用してもよく、例えば、公知のＮグラム方式により分割してもよい。
【００３９】
また、本例では、例えば、電子文書中に部分キーワード「希釈性低ナトリウム血症」そのものは出現せずに、「希釈性の低ナトリウム血症」のように格助詞（本例では「の」）を途中に含んで出現する場合は、この電子文書は検索結果に含まれないが、これを検索結果に含めるようにしてもよい。この場合には、予め規定した文字列（例えば「の」）を電子文書中の文字列から除外した後に検索したり、電子文書中の文字列を構文解析して格助詞を特定し、当該特定した格助詞を除外した後に検索すればよい。
【００４０】
また、本例では、電子文書の再検索を、確定部分キーワードと、入力キーワードから当該確定部分キーワードを除いた部分を分割した部分キーワードと、からなる新たな部分キーワード集合に基づいて行っているが、確定部分キーワードのみからなる新たな部分キーワード集合に基づいて行うようにしてもよい。
【００４１】
また、利用者が過去に作成した電子文書に含まれる頻出文字列を電子文書の検索処理に反映させるようにしてもよく、この場合には、図６に示すように、利用者が作成した電子文書に出現する文字列の出現頻度が所定値を上回る頻出文字列を記憶する頻出文字列記憶手段を更に備え、入力キーワードに含まれる頻出文字列と当該入力キーワードから頻出文字列を除いた部分を分割した部分キーワードとからなる部分キーワード集合を生成し、当該部分キーワード集合に基づいて電子文書の検索を行えばよい。
【００４２】
図７は、本例の検索支援装置の主要なハードウェア構成を示している。
すなわち、本例の検索支援装置は、各種演算処理を行うＣＰＵ、ＣＰＵの作業領域となるＲＡＭ、基本的な制御プログラムを記憶するＲＯＭ、本発明に係る各機能を実現するためのプログラム等を記憶するＨＤＤ、利用者に対する情報を表示出力する液晶ディスプレイや利用者からの情報の入力を受け付けるマウス・キーボード等の機器とのインターフェースである入出力Ｉ／Ｆ、他の装置との間で通信を行うインターフェースである通信Ｉ／Ｆ、等のハードウェア資源を有するコンピュータで構成されている。
【００４３】
そして、本発明に係るプログラムをＨＤＤから読み出してＲＡＭに展開し、これをＣＰＵにより実行させることで、本発明に係る第１の受付手段（検索キーワード入力手段２）、第２の受付手段（フィードバック取得手段７）、生成手段（隣接検索手段５）、検索手段（隣接検索手段５）、表示手段（検索結果表示手段６）、算出手段（フィードバック解析手段８）、制御手段（フィードバック解析手段８）等を、検索支援装置のコンピュータに実現している。
【００４４】
なお、本発明に係るプログラムは、例えば、当該プログラムを記憶したＣＤ−ＲＯＭ等の外部記憶媒体を配布する形式や、ネットワークを介して配信する形式により、本発明の実施者に提供される。
また、本発明に係る検索支援装置の各機能手段は、本例のようなソフトウェア構成により実現する態様に限られず、専用のハードウエアモジュールで構成してもよい。
また、本発明に係る検索支援装置の各機能手段は、本例のように１台のコンピュータに設ける態様に限られず、複数台のコンピュータに分散して設けてもよい。
【図面の簡単な説明】
【００４５】
【図１】本発明の一実施形態に係る検索支援装置の機能ブロック図である。
【図２】本発明の一実施形態に係る検索支援処理の処理フロー図である。
【図３】本発明の一実施形態に係る検索結果に優先順位を設定するための基準例を示す図である。
【図４】本発明の一実施形態に係る検索結果に対する優先順位の設定例を示す図である。
【図５】本発明の一実施形態に係る部分キーワード集合群における各部分キーワードの出現頻度を例示する図である。
【図６】本発明の一実施形態に係る検索支援装置の機能ブロック図である。
【図７】本発明の一実施形態に係る検索支援装置のハードウェア構成図である。
【符号の説明】
【００４６】
１：検索対象テキスト格納手段、
２：検索キーワード入力手段、
３：形態素解析手段、
４：形態素解析結果保持手段、
５：隣接検索手段、
６：検索結果表示手段、
７：フィードバック取得手段、
８：フィードバック解析手段、
９：頻出文字列記憶手段
【図１】
2009075664.tif 000003
【図２】
2009075664.tif 000004
【図３】
2009075664.tif 000005
【図４】
2009075664.tif 000006
【図５】
2009075664.tif 000007
【図６】
2009075664.tif 000008
【図７】
2009075664.tif 000009